(57)【特許請求の範囲】
【請求項１】
機器間のデータ伝送方法であって、
第１端末機器がアップロードしたデータを受信し、
前記第１端末機器の有効シリアル番号に基づいて、前記データを前記有効シリアル番号に対応する記憶スペースに記憶するステップと、
第２端末機器が送信する、前記有効シリアル番号を含むデータダウンロード要求を受信し、前記有効シリアル番号に対応する記憶スペースにおけるデータを前記第２端末機器に送るステップと、
前記第１端末機器の有効シリアル番号に基づいて、前記有効シリアル番号に対応する記憶スペースの履歴データをクリアするステップと、
前記データが単一のテキストデータである場合、前記データをマークして前記記憶スペースにおいてドキュメントを新規作成し、前記データを保存するステップと、
前記データが非単一テキストデータ又は非テキストデータである場合、直接前記データを前記記憶スペースに保存するステップと、
を含むことを特徴とする機器間のデータ伝送方法。
【請求項２】
ユーザが第１端末機器又は第２端末機器を用いて送信したシリアル番号申請要求に応答して、前記ユーザに記憶スペースを割り当て、一意なシリアル番号を生成して前記第１端末機器又は第２端末機器に送るステップをさらに含む、ことを特徴とする請求項１に記載の機器間のデータ伝送方法。
【請求項３】
第１端末機器又は第２端末機器のシリアル番号の有効期限が切れた場合、シリアル番号の再申請通知を前記第１端末機器又は前記第２端末機器に送信するステップをさらに含む、ことを特徴とする請求項１に記載の機器間のデータ伝送方法。
【請求項４】
第２端末機器が送信する、前記有効シリアル番号を含むデータダウンロード要求を受信し、前記有効シリアル番号に対応する記憶スペースが空である場合、データがない旨の通知を前記第２端末機器に送信するステップをさらに含む、ことを特徴とする請求項１に記載の機器間のデータ伝送方法。
【請求項５】
第２端末機器が送信する、前記有効シリアル番号を含むデータダウンロード要求に応答した後、前記有効シリアル番号に対応する記憶スペースのデータをクリアするステップをさらに含む、ことを特徴とする請求項１に記載の機器間のデータ伝送方法。
【請求項６】
コンピュータ読み取り可能な記憶媒体であって、
コンピュータプログラムが記憶されており、前記コンピュータプログラムは、プロセッサにより実行されると、請求項１〜５のいずれか１項に記載の機器間のデータ伝送方法のステップを実現する、ことを特徴とするコンピュータ読み取り可能な記憶媒体。
【発明の詳細な説明】
【技術分野】
【０００１】
本発明は、通信技術分野に関し、特に機器間のデータ伝送方法、装置、端末機器及び記憶媒体に関する。
【背景技術】
【０００２】
従来技術では、ユーザがネットワークファイル又はコンピュータ上のファイルをモバイル端末（たとえば、モバイル端末、タブレットコンピュータなど）上のファイルと相互に伝送する場合、一般的に使用されている方法は、まず、ネットワークファイルをローカルにダウンロードし（ローカルファイルの場合はこのプロセスが不要である）、次に、データライン又はブルートゥースを介して送信するか、サードパーティのツールを使用して、クラウド転送を介してファイルをコンピュータ及びモバイル端末に同期化させることである。
【０００３】
クラウドディスクなどのクラウドストレージソフトウェア、ＷｅＣｈａｔやＱＱなどのソーシャルソフトウェアなど、サードパーティのツールを使用する場合、ユーザはこのチャットツールにログインした機器に文字又はファイルを送信して、この機器がデータを取得できるようにすることができる。ただし、必要なステップが多く、機能が複雑であり、ソフトウェアが伝送されるファイルのサイズを制限し、そして伝送速度を制限する。また、ＮＦＣ技術により実現された「Ｈｕａｗｅｉ  Ｓｈａｒｅ  ＯｎｅＨｏｐ」（システムバージョンＥＭＵＩ９．０以降のＨｕａｗｅｉ製品）及びＡｐｐｌｅ製品の「Ａｉｒｄｒｏｐ機能」は、いずれも、携帯電話とラップトップが近づくと、機器間でテキストをコピーアンドペーストして遠隔コピーを実現することができるクリップボード機能を提供し、これにより、携帯電話とラップトップの間でテキスト情報を迅速に共有するという課題を効果的に解決できる。ただし、上記機能のいずれにも機器についての制限があり、指定ブランドの製品でなければならない。
【先行技術文献】
【特許文献】
【０００４】
【特許文献１】中国特許出願公開第１０３８７３６３７号明細書
【０００５】
本発明は、機器間の伝送方法及び装置を開示し、通信分野に属する。前記方法は、第１端末機器が前記第１端末機器とデータ接続を確立した少なくとも１つの端末機器及び前記第１端末機器を監視するステップと、前記第１端末機器は、画像に対するタッチ操作を検出すると、前記タッチ操作の移動軌跡に従って、前記タッチ操作の移動軌跡を含む端末機器に前記画像を表示するステップと、前記タッチ操作の終了を検出すると、前記移動軌跡に従って、前記画像に対応するデータを処理するステップと、を含む。本発明は、タッチ操作の移動軌跡に従って、端末機器においてデータ送信を視覚化して行い、それによって、データの伝送操作を簡素化させ、機器間のデータ伝送サービスをよりユーザーフレンドリーにする。
【発明の概要】
【発明が解決しようとする課題】
【０００６】
従来技術に存在する問題を解決するために、本発明は、記憶データのプライバシー及びセキュリティを効果的に確保しながら機器間のデータ伝送操作を簡単で効率よく実施できる機器間のデータ伝送方法、装置、端末機器及び記憶媒体を提供する。
【課題を解決するための手段】
【０００７】
上記目的を達成させるために、本発明による機器間のデータ伝送方法は、
第１端末機器がアップロードしたデータを受信し、前記第１端末機器の有効シリアル番号に基づいて、前記データを前記有効シリアル番号に対応する記憶スペースに記憶するステップと、
第２端末機器が送信する、前記有効シリアル番号を含むデータダウンロード要求を受信し、前記有効シリアル番号に対応する記憶スペースにおけるデータを前記第２端末機器に送るステップと、を含む。
【０００８】
好ましくは、ユーザが第１端末機器又は第２端末機器を用いて送信したシリアル番号申請要求に応答して、前記ユーザに記憶スペースを割り当て、一意なシリアル番号を生成して前記第１端末機器又は第２端末機器に送る。
【０００９】
好ましくは、第１端末機器又は第２端末機器のシリアル番号の有効期限が切れた場合、シリアル番号の再申請通知を前記第１端末機器又は前記第２端末機器に送信する。
【００１０】
好ましくは、前記第１端末機器の有効シリアル番号に基づいて、前記データを前記有効シリアル番号に対応する記憶スペースに記憶する前記ステップは、
前記第１端末機器の有効シリアル番号に基づいて、前記有効シリアル番号に対応する記憶スペースの履歴データをクリアするステップと、
前記データが単一のテキストデータである場合、前記データをマークして前記記憶スペースにおいてドキュメントを新規作成し、前記データを保存するステップと、
前記データが非単一テキストデータ又は非テキストデータである場合、直接前記データを前記記憶スペースに保存するステップと、を含む。
【００１１】
好ましくは、第２端末機器が送信する、前記有効シリアル番号を含むデータダウンロード要求を受信し、前記有効シリアル番号に対応する記憶スペースが空である場合、データがない旨の通知を前記第２端末機器に送信する。
【００１２】
好ましくは、第２端末機器が送信する、前記有効シリアル番号を含むデータダウンロード要求に応答した後、前記有効シリアル番号に対応する記憶スペースのデータをクリアする。
【００１３】
さらに、本発明の実施例は、
第１端末機器がアップロードしたデータを受信し、前記第１端末機器の有効シリアル番号に基づいて、前記データを前記有効シリアル番号に対応する記憶スペースに記憶することに用いられるアップロードモジュールと、
第２端末機器が送信する、前記有効シリアル番号を含むデータダウンロード要求を受信し、前記有効シリアル番号に対応する記憶スペースにおけるデータを前記第２端末機器に送ることに用いられるダウンロードモジュールと、を備える機器間のデータ伝送装置をさらに提案している。
【００１４】
前記機器間のデータ伝送装置は、ユーザが第１端末機器又は第２端末機器を用いて送信したシリアル番号申請要求に応答して、前記ユーザに記憶スペースを割り当て、一意なシリアル番号を生成して前記第１端末機器又は第２端末機器に送ることに用いられる記憶モジュールをさらに備える。
【００１５】
さらに、本発明の実施例は、メモリ、プロセッサ及び前記メモリに記憶され前記プロセッサ上で実行可能なコンピュータプログラムを含み、前記コンピュータプログラムが、前記プロセッサにより実行されると、上前記機器間のデータ伝送方法のステップを実現する端末機器をさらに提案している。
【００１６】
さらに、本発明の実施例は、コンピュータプログラムが記憶されており、前記コンピュータプログラムがプロセッサにより実行されると、前記機器間のデータ伝送方法のステップを実現するコンピュータ読み取り可能な記憶媒体をさらに提案している。
【発明の効果】
【００１７】
従来技術に比べて、本発明の技術案の有益な効果は以下のとおりである。第１端末は、機器がアップロードしたデータを受信し、前記第１端末機器の有効シリアル番号に基づいて、前記データを前記有効シリアル番号に対応する記憶スペースに記憶し、第２端末機器が送信する、前記有効シリアル番号を含むデータダウンロード要求を受信し、前記有効シリアル番号に対応する記憶スペースにおけるデータを前記第２端末機器に送る。本発明の実施例の技術案は、記憶データのプライバシー及びセキュリティを効果的に確保しながら、機器間のデータ伝送操作を簡単で効率よく実行することができる。
【図面の簡単な説明】
【００１８】
【図１】本発明の一実施例による機器間のデータ伝送方法の模式的フローチャートである。
【図２】本発明の別の実施例による機器間のデータ伝送方法の模式的フローチャートである。
【図３】本発明の別の実施例による機器間のデータ伝送方法のシグナリングの模式的フローチャートである。
【図４】本発明の一実施例における機器間のデータ伝送方法によるデータアップロードの模式的フローチャートである。
【図５】本発明の一実施例における機器間のデータ伝送方法によるデータダウンロードの模式的フローチャートである。
【図６】本発明の一実施例による機器間のデータ伝送装置の構造模式図である。
【図７】本発明の別の実施例による機器間のデータ伝送装置の構造模式図である。
【発明を実施するための形態】
【００１９】
以下、図面及び実施例を参照しながら、本発明の特定の実施形態をさらに詳細に説明する。なお、図面は本発明の例示的な実施例を示しているが、本発明は様々な形態で実現することができ、本明細書に記載の実施例によって限定されない。むしろ、これらの実施例は、本発明をより完全に理解できるようにし、本発明の範囲を完全に当業者に伝えるために提供される。なお、ここで説明される特定の実施例は、本発明を説明するために過ぎず、本発明を何ら限定するものではない。
【００２０】
図１〜３に示すように、本発明の実施例は、サーバに適用される機器間のデータ伝送方法を提供する。ユーザがアップロードした文字、画像、ファイルなどのデータを保存する（文字の場合は、まずテキストファイルに保存してマークを付け、ユーザがダウンロードするときに、マークされたドキュメントの内容が直接コピーされてユーザに提供される）異なる記憶スペースをサーバでユーザごとに指定し、この記憶スペースの各ユーザの使用を区別できる特定のシリアル番号を生成してユーザに通知し、シリアル番号には有効期限があり、有効期限が切れると、シリアル番号は無効になり、前記シリアル番号に対応する記憶スペースがクリアされ、それによって、ユーザのプライバシーが効果的に確保される。ユーザがサーバからデータを取得すると、サーバは自動的に記憶スペースをクリアし、それにより、ユーザの次回の記憶操作を簡便にするとともに、ユーザのプライバシーを保護する。ユーザが初めて使用するときは、申請したシリアル番号を入力すると、文字、画像、ファイルなどのデータをアップロードすることができ、次回使用するときにシリアル番号を再入力する必要がなく、前記データの有効期間を設定することもでき、有効期限が切れるとデータが自動的にクリアされるようになる。ユーザは、シリアル番号を別の機器に入力することでこのデータをダウンロードでき、シリアル番号の有効期限が切れない限り、次回シリアル番号を再入力する必要はない。ユーザの目的が主にある機器から別の機器へデータを伝送することであり、データを長期間に亘ってサーバに保存する必要がないため、ユーザが別の機器でデータを取得した後、このシリアル番号に対応する記憶スペースが自動的にクリアされる。
【００２１】
本発明の第１実施例における機器間のデータ伝送方法によるデータアップロードの模式的フローチャートは、図４に示される。
【００２２】
まず、サーバは、第１端末機器に有効シリアル番号が入力されているか否かを判定し、有効シリアル番号がない場合、第１アプリケーション端末に、新しいシリアル番号を申請して割り当てる。
【００２３】
次に、ユーザは、記憶すべきデータを第１端末機器へアップロードする。サーバが第１端末機器にアップロードしたデータを受信した後、前記第１端末機器の有効シリアル番号に基づいて、サーバは有効シリアル番号に対応する記憶スペースを検索し、記憶スペースが空であるか否かを判定し、記憶スペースが空ではない場合、記憶スペースをクリアする。
【００２４】
次に、サーバは、前記第１端末機器がアップロードしたデータについてデータがテキスト内容であるか否かを判定し、テキスト内容ではない場合、記憶スペースに直接記憶し、テキスト内容である場合、テキスト内容を新規作成するテキストドキュメントに記憶して、該テキストドキュメントにマークを付けた後、記憶スペースに記憶する。
最後に、サーバは、第１端末機器に命令を送り、ユーザがデータについて有効期間を設定する必要があるか否かを確認し、有効期間が設定されるか否かにかかわらず、最終的に、前記第１端末機器がアップロードしたデータを前記有効シリアル番号に対応する記憶スペースに保存する。
【００２５】
本発明の第１実施例における機器間のデータ伝送方法のデータダウンロードの模式的フローチャートは、図５に示される。
【００２６】
まず、サーバは、第２端末機器が送信したシリアル番号を受信し、シリアル番号の有効期限が切れたか否かを判定し、有効期限が切れた場合、第２端末機器にシリアル番号を再申請して割り当てる。
【００２７】
次に、サーバは、該シリアル番号に対応する記憶スペースを検索し、前記シリアル番号に対応する記憶スペースが空であるか否かを確認し、空である場合、今回のダウンロード要求を終了し、前記シリアル番号に対応する記憶スペースが空ではない場合、前記シリアル番号に対応する記憶スペースに記憶されたデータがマークされているか否かを確認し、マークされている場合、該ユーザがもともと単一のテキスト文字内容を記憶していることがわかり、この場合、該ファイルの内容をコピーしてユーザに提供し、マークされていない場合、前記シリアル番号に対応する記憶スペースに記憶されたデータを直接ダウンロードする。
【００２８】
最後に、前記シリアル番号に対応する記憶スペースに記憶されたデータをクリアする。
【００２９】
図６〜７に示すように、本発明の実施例は、アップロードモジュール、ダウンロードモジュール及び記憶モジュールを備える機器間のデータ伝送装置を提供し、前記アップロードモジュールは、第１端末機器がアップロードしたデータを受信し、前記第１端末機器の有効シリアル番号に基づいて、前記データを前記有効シリアル番号に対応する記憶スペースに記憶することに用いられ、前記ダウンロードモジュールは、第２端末機器が送信する、前記有効シリアル番号を含むデータダウンロード要求を受信し、前記有効シリアル番号に対応する記憶スペースにおけるデータを前記第２端末機器に送ることに用いられ、前記記憶モジュールは、ユーザが第１端末機器又は第２端末機器を用いて送信したシリアル番号申請要求に応答して、前記ユーザに記憶スペースを割り当て、一意なシリアル番号を生成して前記第１端末機器又は第２端末機器に送ることに用いられる。
【００３０】
本発明の第３実施例は、メモリ、プロセッサ及び前記メモリに記憶され前記プロセッサ上で実行可能なコンピュータプログラムを含み、前記コンピュータプログラムが前記プロセッサにより実行されると、前記機器間のデータ伝送方法のステップを実現する端末機器を提供する。具体的な実現方式は第１実施例及び第２実施例の記載と同様である。
【００３１】
本発明の第４実施例は、コンピュータプログラムが記憶されており、前記コンピュータプログラムがプロセッサにより実行されると前記機器間のデータ伝送方法のステップを実現するコンピュータ読み取り可能な記憶媒体を提供する。具体的な実現方式は第１実施例及び第２実施例の記載と同様である。コンピュータ読み取り可能な記憶媒体は、ＲＯＭ、ＲＡＭ、磁気ディスク又は光ディスクなどを含むが、これらに制限されない。
【００３２】
なお、本発明による実施例では、開示された装置及び方法はまた、他の方式で実現されてもよい。以上で説明した装置の実施例は模式的なものに過ぎず、例えば、図面のフローチャートは、本発明の複数の実施例による装置、方法、及びコンピュータプログラム製品の可能な実現アーキテクチャ、機能及び操作を示している。これに関して、フローチャートの各ブロックは、モジュール、プログラムセグメント、又はコードの一部を表すことができ、前記モジュール、プログラムセグメント、又はコードの一部には、所定の論理機能を実現するための１つまたはそれ以上の実行可能命令が含まれ得る。なお、いくつかの代替実施形態では、ブロックでマークされた機能は、図面でマークされた順序とは異なる順序で発生してもよい。たとえば、２つの連続したブロックは、関連する機能によって、実際に実質的に並行して実行されてもよいし、逆の順序で実行されてもよい。ただし、フローチャートの各ブロック、及びフローチャートのブロックの組み合わせは、所定の機能又は動作を実行するための専用のハードウェアベースのシステムによって実現するか、または専用のハードウェアとコンピュータ命令との組み合わせによって実現することができる。
【００３３】
また、本発明の各実施例における各機能モジュールは、一体に集積して独立した部分となってもよく、又は各モジュールは単独で存在してもよく、２つまたはそれ以上のモジュールは集積して独立した部分となってもよい。
【００３４】
要するに、以上は、本発明の好ましい実施例に過ぎず、本発明の保護範囲を限定することを意図していない。本発明の精神及び原理の範囲内で行われるすべての修正、同等の置換、改良などは、本発明の特許範囲に含まれる。
【要約】      （修正有）【課題】記憶データのプライバシー及びセキュリティを効果的に確保しながら、機器間のデータ伝送操作を簡単で効率よく実施することができる機器間のデータ伝送方法及び装置を提供する。【解決手段】機器間のデータ伝送方法は、第１端末機器がアップロードしたデータを受信し、第１端末機器の有効シリアル番号に基づいて、データを有効シリアル番号に対応する記憶スペースに記憶するステップと、第２端末機器が送信する有効シリアル番号を含むデータダウンロード要求を受信し、有効シリアル番号に対応する記憶スペースにおけるデータを第２端末機器に送るステップとを含む。【選択図】図３【図１】
0006843415.tif 000002
【図２】
0006843415.tif 000003
【図３】
0006843415.tif 000004
【図４】
0006843415.tif 000005
【図５】
0006843415.tif 000006
【図６】
0006843415.tif 000007
【図７】
0006843415.tif 000008